(57)【要約】【課題】複数の表示装置から同時に同期信号が送信されると、眼鏡装置が正常にシャッタ開閉制御を行えない可能性がある。【解決手段】表示装置は、同期信号を送信する期間と、同期信号の送信を停止する期間を決定する決定部を備える。決定部は基準信号に基づいて、同期信号を送信する期間、送信を停止する期間を定める。決定部は、他の表示装置と同期信号を送信する期間が重複されないようにすることで、任意の時点で同期信号を送信する表示装置は一つとなる。これにより、少なくとも同時に複数の表示装置から同期信号を送信させることを防ぐことができ、眼願装置のシャッタ開閉制御の誤作動を抑制することが可能となる。【選択図】図３
2012227678.tif 000002
【特許請求の範囲】
【請求項１】
立体映像を表示する表示部と、
前記表示部に表示される立体映像と同期した同期信号を生成する同期信号生成部と、
基準信号に基づいて前記同期信号を送信する期間と、送信を停止する期間と、を決定する決定部と、
前記同期信号を送信する期間に、前記同期信号生成部が生成した同期信号を外部へ送信する送信部と、
を備える映像表示装置。
【請求項２】
前記基準信号を生成する基準信号部をさらに備える請求項１に記載の映像表示装置。
【請求項３】
前記基準信号を外部から受信する、請求項１に記載の映像表示装置。
【請求項４】
第１の映像表示装置と、第２の映像表示装置と、を備えた映像システムであって、
前記第１の映像表示装置は、立体映像を表示する第１の表示部と、
前記第１の表示部に表示される立体映像と同期した同期信号を生成する第１の同期信号生成部と、
基準信号を生成する基準信号部と、
前記基準信号に基づいて前記第１の同期信号生成部が生成する同期信号を送信する期間と、送信を停止する期間とを決定する第１の決定部と、
前記第１の決定部が決定した同期信号を送信する期間に、前記第１の同期信号生成部が生成した同期信号を外部へ送信する第１の送信部と、を備え、
前記第２の映像表示装置は、立体映像を表示する第２の表示部と、
前記第２の表示部に表示される立体映像と同期した同期信号を生成する第２の同期信号生成部と、
前記基準信号部から受信した基準信号に基づいて前記第２の同期信号生成部が生成する同期信号を送信する期間と、送信を停止する期間とを決定する第２の決定部と、
前記第２の決定部が決定した同期信号を送信する期間に、前記第２の同期信号生成部が生成した同期信号を外部へ送信する第２の送信部と、を備え、
前記第１の決定部と、第２の決定部は、それぞれの同期信号を送信する期間を、互いに重複しないように設定する、
映像システム。
【発明の詳細な説明】
【技術分野】
【０００１】
本発明は、視聴者に３次元的に知覚される映像を提供するための表示装置及び映像システムに関する。
【背景技術】
【０００２】
近年の映像技術の発達により、視聴者に３次元的に知覚される映像（３次元映像）を提供するための映像システムが開発されてきている。多くの場合、このような映像システムは、左眼で視聴されるための左眼フレーム画像と、右眼で視聴されるための右眼フレーム画像とを含む映像を表示する表示装置と、表示装置が表示する映像の視聴を補助する眼鏡装置とを備える。例えば、特許文献１に開示される映像システムの表示装置は、映像のフレーム画像の表示に同期する同期信号を赤外線で送信し、眼鏡装置は、同期信号に基づいて映像の視聴を補助するための立体視補助動作を実行する。眼鏡装置が、映像のフレーム画像の表示に同期した立体視補助動作を実行することにより、視聴者は表示装置が表示する映像を立体的に知覚することが可能となる。
【先行技術文献】
【特許文献】
【０００３】
【特許文献１】特開平８−３１７４２６号公報
【発明の概要】
【発明が解決しようとする課題】
【０００４】
複数の映像システムを隣り合わせで使用する場合、眼鏡装置に向けて表示装置から送信するお互いの同期信号となる赤外線が干渉して各々の眼鏡装置で安定して立体視補助動作を実行できないという問題が生じる。例えば２台の表示装置Ａ、表示装置Ｂに対して、各々の表示装置に対する眼鏡装置Ａ、眼鏡装置Ｂを想定する。通常は２台の表示装置は全く別々の映像信号により非同期で映像を表示しているので、各々の同期信号はタイミングが異なる。
通常は表示装置Ａから送られる同期信号により眼鏡装置Ａで表示装置Ａの映像を立体視できる。また表示装置Ｂから送られる同期信号により眼鏡装置Ｂで表示装置Ｂの映像を立体視できる。ここで表示装置Ａと表示装置Ｂが隣り合っている場合、眼鏡装置Ａと眼鏡装置Ｂの視聴位置も近くなってしまい、表示装置Ｂの同期信号が眼鏡装置Ａで受信されることが起こり得る。表示装置Ｂの同期信号は表示装置Ａの同期信号とタイミングが合っていないので、表示装置Ｂの同期信号を受けた眼鏡装置Ａでは表示装置Ａの映像を立体視することはできなくなる。同様に表示装置Ａの同期信号が眼鏡装置Ｂで受信されることも起こり得て、同じように眼鏡装置Ｂで表示装置Ｂの映像を立体視することはできなくなる。
また、表示装置Ａと表示装置Ｂの両方の同期信号が眼鏡装置Ａで受信されることも起こり得る。この場合は眼鏡装置Ａが正常に動作せず、表示装置Ａ、表示装置Ｂ何れの映像も立体視することはできなくなる。同様に眼鏡装置Ｂの方も、表示装置Ａ、表示装置Ｂ何れの映像も立体視できなくなることが起こり得る。
上記実情を鑑みて、本発明は、同期信号の混信を好適に抑制することができる表示装置及び眼鏡装置からなる映像システムを提供することを目的とする。
【課題を解決するための手段】
【０００５】
本出願に関わる映像表示装置は、立体映像を表示する表示部と、表示部に表示される立体映像と同期した同期信号を生成する同期信号生成部と、基準信号に基づいて同期信号を送信する期間と、送信を停止する期間と、を決定する決定部と、同期信号を送信する期間に、同期信号生成部が生成した同期信号を外部へ送信する送信部と、を備える。
【０００６】
上記の映像表示装置は、基準信号を生成する基準信号部をさらに備えるものであってもよい。また、上記の映像表示装置において、基準信号を外部から受信するものであってもよい。
【０００７】
また、本出願に関わる映像システムは、第１の映像表示装置と、第２の映像表示装置と、を備え、第１の映像表示装置は、立体映像を表示する第１の表示部と、第１の表示部に表示される立体映像と同期した同期信号を生成する第１の同期信号生成部と、基準信号を生成する基準信号部と、基準信号に基づいて第１の同期信号生成部が生成する同期信号を送信する期間と、送信を停止する期間とを決定する第１の決定部と、第１の決定部が決定した同期信号を送信する期間に、前記第１の同期信号生成部が生成した同期信号を外部へ送信する第１の送信部と、を有し、第２の映像表示装置は、立体映像を表示する第２の表示部と、第２の表示部に表示される立体映像と同期した同期信号を生成する第２の同期信号生成部と、基準信号部から受信した基準信号に基づいて第２の同期信号生成部が生成する同期信号を送信する期間と、送信を停止する期間とを決定する第２の決定部と、第２の決定部が決定した同期信号を送信する期間に、第２の同期信号生成部が生成した同期信号を外部へ送信する第２の送信部と、を有し、第１の決定部と、第２の決定部は、それぞれの同期信号を送信する期間を、互いに重複しないように設定する。
【発明の効果】
【０００８】
上述の如く、本発明に係る表示装置及び眼鏡装置からなる映像システムは、同期信号の混信を好適に抑制することができる。
【図面の簡単な説明】
【０００９】
【図１】実施の形態１で説明する映像システムの概略構成図
【図２】実施の形態１における複数映像システムによるシステム概略図
【図３】実施の形態１における表示装置の機能構成及び接続図
【図４】表示装置が送信する同期信号の送信タイミング図
【図５】複数表示装置間で同期信号の送信タイミングを調整した場合のタイミング図
【図６】同期信号送信部を外部装置（同期信号送信装置）として設けた場合のシステム概略図
【発明を実施するための形態】
【００１０】
以下、本発明の一実施形態に係る表示装置及び眼鏡装置からなる映像システムについて図面を参照して説明する。尚、図面に示される構成、配置或いは形状等並びに図面に関連する記載は、単に本発明の原理を容易に理解させることを目的とするものであり、本発明を何ら限定するものではない。
【００１１】
（実施の形態１）
図１に３次元３映像システムを概略的に示す。図１の３次元映像システム１００は、表示装置２００と、眼鏡装置３００とを備える。表示装置２００は、３次元映像（立体映像）を表示する。眼鏡装置３００は、表示装置２００の表示面２０２に表示された映像を、視聴者に映像を立体的に知覚させるための立体視補助動作を行う眼鏡装置３００と、を備える。
【００１２】
表示装置２００は、同期信号送信部２０１と、表示パネル２０２と、筐体２０３と、基準信号通信端子２０４と、を備える。
【００１３】
同期信号送信部２０１は、表示パネル２０２に表示される３次元映像（立体映像）の左眼用映像、右眼用映像の表示と同期した同期信号を、眼鏡装置３００へ送信する。本実施の形態では、同期信号の送信に、赤外線域の波長を持つ光を用いるものとして説明するが、本出願の発明はこれに特定されるものではない。同期信号の伝達において、混信の生じる可能性のある伝達方法であれば、他の方法であってもよい。他の方法としては、例えば、無線（ＲＦ信号）を用いたもの等がある。
【００１４】
表示パネル２０２は、表示装置２００が外部から入力された３次元映像信号、または表示装置２００内部で生成、または読み出された３次元映像信号にしたがって、左眼用の映像と右眼用の映像を時間的に交互に表示する。なお、本実施の形態ではフレーム単位で映像を表示する場合を例に説明するが、本発明の内容はこれに限定されるものではない。フィールド単位で左眼用の映像と右眼用の映像が時間的に交互、または一定間隔毎に表示されるものであってもよい。つまり、３次元映像信号に含まれる左眼用の映像と右眼用の映像が時間的に異なるタイミングで表示される表示されるものであればいずれのものであってもよい。
【００１５】
筐体２０３は、表示装置２００の同期信号送信部２０１、表示パネル２０２等を支持する。
【００１６】
基準信号通信端子２０４は、他の映像システムの表示装置との基準信号を送信、または受信する入力または出力端子である。
【００１７】
眼鏡装置３００は、左眼シャッタ３０１と、右眼シャッタ３０２と、同期信号受信部３０３と、を備える。
【００１８】
左眼シャッタ３０１と、右眼シャッタ３０２と、は表示装置２００の表示パネル２０２に表示される３次元映像と同期して、それぞれ開閉動作を行う。具体的には、表示パネル２０２に左眼用映像が表示されている際に、左眼シャッタ３０１が開状態、右眼シャッタ３０２が閉状態となる。反対に、表示パネル２０２に右眼用映像が表示されている際に、左眼シャッタ３０１が閉状態、右眼シャッタ３０２が開状態となる。これにより、視聴者の左右の眼にはそれぞれ、左眼用映像の光のみ、右眼用映像の光のみがはいり、視聴者は表示パネル２０２に表示される映像が３次元映像であると知覚できる。
【００１９】
同期信号受信部３０３は、表示装置２００の同期信号送信部２０１から送信される同期信号を受信する。
【００２０】
図２は、図１に示した３次元映像システム１００と同じ３次元映像システム１１０と１２０の２つ（複数）を設置し、接続した場合の例を示す図である。３次元映像システム１１０と１２０の表示装置２１０と２２０とは、３次元映像システム１００の表示装置２００と同じである。３次元映像システム１１０と１２０の眼鏡装置３１０と３２０とは、３次元映像システム１００の眼鏡装置３００と同じである。
【００２１】
図２において、特徴的な点は、３次元映像システム１１０の表示装置２１０の基準信号通信端子２１４と、３次元映像システム１２０の表示装置２２０の基準信号通信端子２２４とが、同期信号線４００を介して接続されている点である。
【００２２】
図３は、表示装置２１０、２２０それぞれの内部の機能構成及び相互の接続関係を示す図である。以下、図３及び図１を用いて説明する。表示装置２１０は、同期信号送信部２１１と、復号化部２１２と、Ｌ（Ｌｅｆｔ）／Ｒ（Ｒｉｇｈｔ）信号分離部２１３と、立体信号処理部２１４と、表示部２１５と、を備える。
【００２３】
同期信号送信部２１１は、基準信号部２１１１と、決定部２１１２と、同期信号生成部２１１３と、送信制御部２１１４と、送信部２１１５と、を有する。
【００２４】
基準信号部２１１１は、複数の表示装置２１０、２２０間で共有する基準信号を生成する。基準信号部２１１１が生成した基準信号は、同じ表示装置（第１表示装置）内の決定部２１１２だけでなく、他の表示装置（第２表示装置）２２０にある決定部２１１２へも、同期線４００を介して出力される。
【００２５】
決定部２１１２は、基準信号部２１１１からの基準信号を受ける。決定部２１１２は、この基準信号部２１１１からの基準信号に基づいて、それぞれの表示装置が処理する動作、例えば、間欠送信の開始及び／又は終了のタイミング、映像の表示タイミング等を決定する。決定部２１１２は、同期信号を送信する第１期間、及び／又は、同期信号の送信を行わない第２期間、のタイミングの情報を送信制御部２１１４へ出力する。
【００２６】
同期信号生成部２１１３は、Ｌ／Ｒ信号分離部２１３が生成した左眼フレーム画像及び右眼フレーム画像と同期又は対応した同期信号を生成する。この際、表示部２１５の特性に応じて、生成される同期信号の種類（例えば、波形）や生成タイミングが調整される。
【００２７】
送信制御部２１１４は、決定部２１１２が決定した第１期間に同期信号生成部２１１３が生成した同期信号を送信部２１１５へ出力する。送信制御部２１１４は、第２期間中は同期信号を送信部２１１５へ出力するのを停止する。
【００２８】
送信部２１１５は、眼鏡装置３１０へ、第１期間中のみ同期信号を送信し、第２期間中は同期信号を送信しない。第１期間中に送信される同期信号は、表示部２１５に表示される映像と同期した信号である。
【００２９】
復号化部２１２は、符号化された映像信号を入力として受け取り、符号化信号を復号する。
【００３０】
Ｌ／Ｒ信号分離部２１３は、復号化部２１２が復号した映像信号から左眼用と右眼用の映像信号（左眼フレーム画像及び右眼フレーム画像）を生成若しくは分離する。
【００３１】
立体信号処理部２１４は、眼鏡装置３１０、３２０を通じて視認される映像を表示する表示部２１５の特性に応じて、Ｌ／Ｒ信号分離部２１３で分離された左眼用及び右眼用の映像信号を調整する。例えば、立体信号処理部２１４は、表示部２１５の表示面の大きさに応じて、左眼フレーム画像と右眼フレーム画像との間の視差量を調整する処理を実行する。
【００３２】
表示部２１５は、図１で示した表示パネル２０２に対応するものである。表示部は、具体的には液晶ディスプレイパネルや、プラズマディスプレイパネル、その他いずれの表示方式を用いたものであってもよい。
【００３３】
以上により、表示装置２１０は、表示部２１５に表示される映像と同期した同期信号を第１期間中に送信部２１１５から送信し、第２期間中は同期信号の送信を行わない。
【００３４】
表示装置２２０は、表示装置２１０と比較して、同期信号送信部２２１内に基準信号部２１１１に相当する機能構成がない点、及び、決定部２２１２が表示装置２１０の基準信号部２１１１から基準信号を受ける点、が異なっている。それ以外の点については、表示装置２１０と同様の構成であるため、説明を省略する。
【００３５】
表示装置２２０（第２表示装置）の決定部２２１２は、基準信号を、外部（第１表示装置）の基準信号部２１１１から同期線４００を介して、受信する。決定部２２１２は、この受信した基準信号に基づいて後段の送信部２２１５から同期信号を送信すべきタイミング等を決定する。表示装置２１０の場合と同様に決定部２２１２は、同期信号を送信する期間／同期信号を送信しない期間として第１期間、第２期間を設け、それぞれの期間の長さを設定する等の決定作業を行う。
【００３６】
上記のように表示装置２１０の決定部２１１２と表示装置２２０の決定部２１１２が、第１期間、第２期間を設定すると、表示装置２１０、２２０からは第１期間に同期信号が送信され、第２期間に同期信号は送信されない。この第１期間と第２期間を表示装置間で異なるタイミングに設定することにより、表示装置２１０及び２２０から同時に同期信号が送信されることによる混信を抑制することが可能となる。眼鏡装置は、両表示装置から同時に同期信号が送信されることが抑制されるため、シャッタ制御の誤動作を低減することができる。
【００３７】
図４は、上記の表示装置２１０が同期信号を送信する動作を示した図である。図４（ａ）は、表示装置２１０の表示部２１５が、左右フレーム画像を時間に従って表示することを示す図である。
【００３８】
図４（ｂ）は、表示装置２１０の左右フレーム画像の表示に同期して、眼鏡装置３１０、及び／又は、３２０を動作させるための同期信号タイミングを送信するのを時間軸上で示した図である。この同期信号は符号化されていてもよく、眼鏡装置３１０、及び／又は、３２０の左眼フィルタと右目フィルタの透過及び遮蔽タイミングを区別することができる。符号化の方法は、パルスの数とパルスの間隔等が好適に用いてもよい。
【００３９】
図４（ｃ）は、同期信号の同期信号送信期間を示す。時間軸上に、同期信号を送信する第１期間と、送信しない第２期間と、を設ける。第１期間では、同期信号が表示装置２１０から送信される。この第１期間で示される送信周期は、フレーム周期より十分長くするようにし、例えば、第１期間内に数フレーム分の同期信号が送信されるようにする。この第１期間が終了すると、表示装置２１０は同期信号の送信を停止する。表示装置２１０が同期信号を送信しない期間を第２期間とする。第２期間が終了すると、再度第１期間となる。これを繰り返すことで表示装置２１０は、同期信号の送信を間欠的に送信する間欠動作を行う。表示装置２２０についても、同様に第１期間、第２期間を設け、同期信号の送信を間欠的に行う。
【００４０】
図５は、表示装置２１０と２２０が同期信号を送信するタイミングについて説明する図である。図５（ａ）は、基準信号部２１１１が、表示装置２１０と２２０とが同期信号を間欠動作で送信する際に基準となる基準信号を生成するタイミングを、時間軸上で示した図である。基準信号部２１１１が生成する基準信号は、略一定の時間間隔で生成され、これを両表示装置間で共有することで、表示装置間で同期を保つことができる。
【００４１】
図５（ｂ）は、表示装置２１０（第１表示装置）が同期信号を示すタイミングを示した図である。図５（ｃ）は、表示装置２２０（第２表示装置）が同期信号を示すタイミングを示した図である。
【００４２】
図５（ｂ）、及び、図５（ｃ）で示すとおり、表示装置２１０の決定部２１１２と、表示装置２２０の決定部２２１２と、は基準信号部２１１１からの基準信号に基づいて、互いの同期信号の送信時期が重ならないようにそれぞれの第１期間（同期信号を送信する期間）と第２期間（同期信号の送信を停止している期間）を設定する。つまり、第１表示装置の第１期間は、少なくとも第２表示装置の第２期間で示される期間内に収まっていることが必要である。また、反対に第２表示装置の第１期間も、少なくとも第１表示装置の第２期間内に収まっていることが必要である。
【００４３】
これにより、少なくとも複数の表示装置間において、ある装置の第１期間が他の装置の第１期間と重複することがなくなる。その結果、任意の時点において、複数の表示装置から同期信号が同時に送信される状態を防ぐことができる。眼鏡装置は、同時に複数の表示装置からの同期信号を受信する可能性を従来と比較して抑制することができるので、３次元映像の視聴をより好適におこなうことができる。
【００４４】
なお、複数の表示装置間において、ある装置の第１期間と他の装置の第１期間とが重複しないようにするためにとる方法はいずれの方法であってもよい。例えば、表示装置２１０のように基準信号部を内部に備えている表示装置２１０の決定部２１１２は、基準信号から所定の時間を第１期間とし、基準信号を外部から受信する表示装置２２０の決定部２２１２は、基準信号から、表示装置２１１の第１期間と重複しない期間を第１期間としてもよい。また、別の方法として利用者が表示装置２１０と２２０の第１期間を手動で設定等するものであってもよい。
【００４５】
なお、本実施の形態では、表示装置が２１０と２２０の２つの場合について説明したが、本出願の発明はこれに限定されないことは言うまでも無い。２より多い表示装置（映像システム）が存在する場合であっても、同様に本実施の形態で説明した発明の内容を用いることが可能である。
【００４６】
なお、表示装置２１０、２２０は上記の特徴に加えてさらに、それぞれが送信する同期信号の信号体系が独立したものであってもよい。信号体系が独立であるとは、例えば、表示装置２１０から送信される同期信号の種類（波形）と、表示装置２２０から送信される同期信号の種類（波形）と、の間に同じものが無いことを意味する。
【００４７】
より具体的には、表示装置２１０から送信される、左眼シャッタオープン、左眼シャッタクローズ、右眼シャッタオープン、右眼シャッタクローズの４種類の信号を、同期信号Ａ、Ｂ、Ｃ、Ｄで信号化（符号化）されたとする。この場合に、表示装置２２０から送信される左眼シャッタオープン、左眼シャッタクローズ、右眼シャッタオープン、右眼シャッタクローズの４種類の信号を、同期信号Ｅ、Ｆ、Ｇ、Ｈで信号化（符号化）する。この場合には、表示装置２１０と表示装置２２０との間で用いる信号が異なるため、眼鏡装置３１０、３２０はそれぞれ受信すべき信号を容易に判別することが可能となる。
【００４８】
なお、いずれの表示装置がいずれの符号体系を使用するかの決定については、いずれの方法を用いるものであってもよい。例えば、図３に示すように基準信号を該装置内部で生成する表示装置については、同期信号Ａ、Ｂ、Ｃ、Ｄの符号化を用い、基準信号を該装置の外部から取得する場合には、同期信号Ｅ、Ｆ、Ｇ、Ｈの符号化を用いることで、比較的簡単に使い分けることができる。
【００４９】
また、表示装置２１０と表示装置２２０との同期信号が完全に独立である必要はない。少なくとも、眼鏡装置がいずれの表示装置から送信された同期信号かを識別できる程度に、両表示装置から送信される同期信号が判別できるものであればよい。
【００５０】
また、本実施の形態では、基準信号部２１１１を備えた表示装置２１０と、基準信号部２１１１を備えていない表示装置２２０と、を用いて説明したが（図３）、本発明の内容はこれに限定されるものではない。両表示装置が基準信号部を備えているものであってもよい。この場合には、いずれかの基準信号部のみを使用し、他方は使用しないものとして取り扱えばよい。
【００５１】
なお、本実施の眼鏡装置は、表示装置から同期信号が送信される第１期間は、受信した同期信号に基づいて左右シャッタの開閉制御を行い、同期信号が送信されない第２期間は、それまでに受信した同期信号の開閉制御を継続させることで、左右シャッタの開閉制御を行う。そのため、眼鏡装置は第２期間中は、同期信号を受信しない、又は、受信しても受信した同期信号によりシャッタ開閉制御を行わない。これにより、眼鏡装置は同期信号の受信対象としない表示装置からの同期信号に影響されず、シャッタ開閉制御を行うことが可能となる。
【００５２】
（他の実施の形態）
図６は、実施の形態１（図３）で示した同期信号送信部２１１、２２１を表示装置２１０、２２０の外部にそれぞれ、同期信号送信装置６１５、６２５として設けた場合の例を示す図である。
【００５３】
同期信号送信装置６１５の機能構成は実施の形態１の同期信号送信部２１１と、同期信号送信装置６２５は実施の形態１の同期信号送信部２２１と、同じであるので説明を省略する。同期線５３０は、実施の形態１の同期線４００に相当するものであり、その線上を伝送するデータは実施の形態１と同じである。
【００５４】
このように、同期信号送信部２１１、２２１を表示装置２１０、２２０から取り出して、同期信号送信装置６１５、６２５とすることで、基準信号部２１１１、決定部２１１２、２２１２を備えない表示装置においても、複数の映像システム間での同期信号の相互干渉（混信）を抑制することが可能となる。
【産業上の利用可能性】
【００５５】
本発明は、表示装置から眼鏡装置へ同期信号を送信する映像システムで利用可能である。特に、３次元映像を眼鏡装置を用いて視聴する映像システムにおいて好適に利用可能である。
【符号の説明】
【００５６】
１００  ３次元映像表示システム
２００、２１０、２２０、６１０、６２０  表示装置
２０１、２１１、２２１  同期信号送信部
２０２、２１２、２２２、６１２、６２２  表示パネル
２０３  筐体
２０４、２１４、２２４  基準信号通信端子
２１２、２２２  復号化部
２１３、２２３  Ｌ／Ｒ信号分離部
２１４、２２４  立体信号処理部
２１５、２２５  表示部
３００、３１０、３２０  眼鏡装置
３０３、３１３、３２３  同期信号受信部
４００、５３０  同期線
６１５、６２５  同期信号送信装置
２１１１  基準信号部
２１１２、２２１２  決定部
２１１３、２２１３  同期信号生成部
２１１４、２２１４  送信制御部
２１１５、２２１５  送信部
【図１】
2012227678.tif 000003
【図２】
2012227678.tif 000004
【図３】
2012227678.tif 000005
【図４】
2012227678.tif 000006
【図５】
2012227678.tif 000007
【図６】
2012227678.tif 000008